(57)【特許請求の範囲】
【請求項１】
建物情報、防災機器情報、法規情報などの防災設備設計に必要な情報を記憶装置に格納し、これらの情報を読みだしディスプレイ上に表示することによって、防災設備設計図作成のための支援を行う防災設備ＣＡＤ装置において、
上記記憶装置には、階段、エスカレータ、エレベータなどといった竪穴種別に応じて防災感知器を設置すべき建物階が少なくとも記憶されており、
建物情報や竪穴情報を入力設定する建物・竪穴情報設定手段と、
防災感知器などの防災機器の建物内の配置位置を、上記法規情報に従って特定し、チェックする防災設備法規遵守処理手段と、
上記建物・竪穴情報設定手段によって、少なくとも上記竪穴種別と、貫通階などの情報を特定した竪穴が登録されたときには、上記記憶手段を参照して、登録された竪穴種別に応じた火災感知器の設置階を決定する竪穴感知器設置階自動決定手段と、
上記ディスプレイ上に、建物階と竪穴分布とを少なくとも示した建物竪穴感知器設置マップを表示し、そのマップで表示されている建物階のうち、上記竪穴感知器設置階自動決定手段により決定された防災感知器の建物階を教示する表示をする建物竪穴マップ作成手段とを備えたことを特徴とする防災設備ＣＡＤ装置。
【請求項２】
請求項１において、
上記建物竪穴マップ作成手段は、竪穴の種別、貫通階、エレベータ機械室の設置階などの竪穴情報を入力して追加登録された竪穴を、作成された建物竪穴感知器配置マップに順次追加して表示できるようにしている防災設備ＣＡＤ装置。
【請求項３】
請求項２において、
竪穴感知器自動配置手段を更に備えており、ディスプレイ上に表示された建物の平面図に感知器を配置する際に、上記建物・竪穴情報設定手段に既に登録設定された竪穴が選択されたときには、上記法規に従って、その竪穴に設置可能な感知器を選択するための選択可能感知器一覧画面や、設置すべき感知器の個数を教示する感知器配置画面を表示させる構成にしている防災設備ＣＡＤ装置。
【請求項４】
請求項３において、
上記竪穴感知器自動配置手段は、ディスプレイ上に表示された建物の平面図において指定された領域の面積を自動計測した上、上記法規に適合して、その領域に設置すべき感知器の個数を決定して感知器配置画面に表示するようにしている防災設備ＣＡＤ装置。
【請求項５】
請求項３、４のいずれかにおいて、
上記竪穴感知器自動配置手段は、ディスプレイ上に表示されたときには、上記建物・竪穴情報設定手段に登録されている竪穴の種別と、その設置階とを表示する選択表示窓と、選択実行ボタンを設けた感知器設置竪穴選択画面をポップアップ表示させる構成にしている防災設備ＣＡＤ装置。
【請求項６】
請求項３〜５のいずれかにおいて、
上記竪穴感知器自動配置手段は、感知器の配置が完了した竪穴は、上記感知器設置竪穴選択画面の上記選択表示窓から消去する一方、感知器の配置が完了した後に、感知器の配置を消去した竪穴については、再び上記表示窓に表示させる構成にしている防災設備ＣＡＤ装置。
【請求項７】
請求項３〜６のいずれかにおいて、
上記竪穴感知器自動配置手段は、上記感知器設置竪穴選択画面の選択実行ボタンがクリックされたときには、感知器の選択を要求する感知器選択画面が表示され、その画面の実行ボタンを更に、クリックしたときには、上記感知器設置竪穴選択画面に表示された竪穴の種別に応じて、法規上、設置の可能な感知器の種別を一覧表示させた選択可能感知器一覧画面を表示させる構成にしている防災設備ＣＡＤ装置。
【請求項８】
請求項１〜７において、
上記防災設備法規遵守処理手段は、ディスプレイ上で表示された建物の平面図や、上記建物竪穴感知器設置マップにおいて感知器のシンボルが追加あるは消去された際に、上記法規に照らして適合の有無を判断して、不適合な配置になっている場合に、エラー表示を行う構成にしている防災設備ＣＡＤ装置。
【請求項９】
請求項２〜８のいずれかにおいて、
光電分離型感知器自動配置手段を更に備え、ディスプレイ上に表示された建物の平面図において、光電分離型感知器を配置する領域と、投光配置パターンとが指定されれば、上記法規に従って、光軸間隔を自動計算して建物の平面図上にその光軸を表示することによって光電分離型感知器の配置すべき個所を表示する構成にしている防災設備ＣＡＤ装置。
【請求項１０】
請求項９において、
上記光電分離型感知器自動配置手段は、建物の平面上に光軸を表示する際に、光電分離型感知器のシンボルを対にして表示し、表示したシンボルのいずれか一方が送光部として指定されることによって、光電分離型感知器の配置を確定させる構成にしている防災設備ＣＡＤ装置。
【請求項１１】
請求項２〜１０のいずれかにおいて、
上記防災設備法規遵守処理手段は、連動感知器法規判別手段を更に備えており、これによって、上記法規情報に基づいて、上記建物の平面図上に配置された、防災感知器とその防災感知器に連動する防排煙機器との間隔が法規を満たしているか否かを自動的に判別し、チェックする構成にしていることを特徴とする防災設備ＣＡＤ装置。
【請求項１２】
請求項２〜１１のいずれかにおいて、
上記防災設備法規遵守処理手段は、地区ベル法規判別手段を更に備えており、これによって、上記法規情報に基づいて、上記建物の平面図上の地区ベルの配置位置が法規を満たしているか否かを自動的に判別し、チェックする構成にしていることを特徴とする防災設備ＣＡＤ装置。
【請求項１３】
請求項２〜１２のいずれかにおいて、
上記防災設備法規遵守処理手段は、発信機法規判別手段を更に備えており、これによって、上記法規情報に基づいて、上記建物の平面図上の発信機の配置位置が法規を満たしているか否かを自動的に判別し、チェックする構成にしていることを特徴とする防災設備ＣＡＤ装置。
【発明の詳細な説明】
【発明の属する技術分野】
【０００１】
本発明は、建物情報、防災機器情報、消防法などの法規などの防災設備設計に必要な種々の情報を記憶装置に格納し、これらの情報を適宜読みだしディスプレイ上に表示しながら、防災設備設計図を作成する防災設備ＣＡＤ装置の改良に関する。
【従来の技術】
【０００２】
従来から、ビルなどに対する防災設備の設計には、防災設備ＣＡＤ装置が使用され、ディスプレイ上に感知器や受信機などの防災機器のシンボルを表示し、ポインティングデバイス等の操作により線引きを行って配線を描き、設計図を完成させている。
【０００３】
このような防災設備ＣＡＤ装置は、設計者のスキルに基づいて操作されており、ディスプレイ上に表示された平面図上に防災感知器などの配置を行ったときには、設計者自身によって設計図をプリントアウトし、コンパス等を用いて検知範囲が適性か、法規に適合しているか等をチェックしている。
【０００４】
ところが、このような防災設備ＣＡＤ装置では、多くの作業時間を費やしており、設計者自身が目視などによって、防災感知器等の配置、確認を行っているために誤りが発生する場合があった。更に、この確認作業は、設計知識を有する者にしかできないという問題があった。
【０００５】
そこで、本出願人は、そのような問題を解決するために、特開平９−１８４３１０を提案している。このものでは、平面図に対する防災感知器等の防災機器の配置設計を、法規に従って、自動的かつ簡単にできるようにしている。
【発明が解決しようとする課題】
【０００６】
ところで、上記した従来の防災設備ＣＡＤ装置では、平面図に対する防災感知器等の防災機器の配置設計を、法規に従って、自動的かつ簡単にできるようにしているものの、平面図上で、エレベータや階段等を設置したり、ダクトやスロープなどとして形成するための竪穴がある場合には、防災感知器を配置する作業や、光電分離型感知器を配置する作業は、設計者自身が配置位置に問題がないかを、目視によって判断する必要があった。
【０００７】
また、配置された防災感知器と連動する防排煙機器が、法規に適合して平面図上に配置されているかの確認や、地区ベルや発信機が法規に適合する位置に配置されているかの確認も、設計者自身が目視によって行わないといけないため、現場の状態とは食い違ってしまうなどの問題もあった。
【０００８】
本発明は、上記事情を考慮して開発されたものであり、従来は自動化されていなかった竪穴への防災感知器の配置や、光電分離型感知器の配置、防災感知器と連動する防排煙機器、地区ベル、発信機を設計上配置した後において、法規上に適合しているかどうかのチェックを自動的かつ簡単にできるようにした防災設備ＣＡＤ装置を提供することを目的としている。
【課題を解決するための手段】
【０００９】
上記目的を達成するために提案される本発明は、以下のような特徴を備えている。
【００１０】
すなわち、請求項１、２は、竪穴の種別や貫通階などの情報を指定して入力すれば、その建物の建物階とともに、竪穴を建物竪穴感知器設置マップとして表示して、法規に従って感知器を設置すべき建物階が明示されるＣＡＤ装置を提供している。
【００１１】
すなわち、請求項１では、建物情報、防災機器情報、法規情報などの防災設備設計に必要な情報を記憶装置に格納し、これらの情報を読みだしディスプレイ上に表示することによって、防災設備設計図作成のための支援を行う防災設備ＣＡＤ装置において、記憶装置には、階段、エスカレータ、エレベータなどといった竪穴種別に応じて防災感知器を設置すべき建物階が少なくとも記憶されており、建物情報や竪穴情報を入力設定する建物・竪穴情報設定手段と、防災感知器などの防災機器の建物内の配置位置を、法規情報に従って特定し、チェックする防災設備法規遵守処理手段と、建物・竪穴情報設定手段によって、少なくとも竪穴種別と、貫通階などの情報を特定した竪穴が登録されたときには、記憶手段を参照して、登録された竪穴種別に応じた火災感知器の設置階を決定する竪穴感知器設置階自動決定手段と、ディスプレイ上に、建物階と竪穴分布とを少なくとも示した建物竪穴感知器設置マップを表示し、そのマップで表示されている建物階のうち、竪穴感知器設置階自動決定手段により決定された防災感知器の建物階を教示する表示をする建物竪穴マップ作成手段とを備えたことを特徴とする。また、請求項２では、請求項１において、建物竪穴マップ作成手段は、竪穴の種別、貫通階、エレベータ機械室の設置階などの竪穴情報を入力して追加登録された竪穴を、作成された建物竪穴感知器配置マップに順次追加して表示できるようにしている。
【００１２】
請求項３〜８は、ディスプレイ上に建物の平面図を表示して、竪穴に法規に適合した感知器を配置し、防災設計図を作成する場合に有益な支援機能を備えたものが提案されている。
【００１３】
すなわち、請求項３では、ＣＡＤ装置は、竪穴感知器自動配置手段を更に備えており、ディスプレイ上に表示された建物の平面図に感知器を配置する際に、上記建物・竪穴情報設定手段に既に登録設定された竪穴が選択されたときには、上記法規に従って、その竪穴に設置可能な感知器を選択するための選択可能感知器一覧画面や、設置すべき感知器の個数を教示する感知器配置画面を表示させる構成にしており、請求項４では、竪穴感知器自動配置手段は、ディスプレイ上に表示された建物の平面図において指定された領域の面積を自動計測した上、上記法規に適合して、その領域に設置すべき感知器の個数を決定して感知器配置画面に表示するようにしており、請求項５では、竪穴感知器自動配置手段は、ディスプレイ上に表示されたときには、上記建物・竪穴情報設定手段に登録されている竪穴の種別と、その設置階とを表示する選択表示窓と、選択実行ボタンを設けた感知器設置竪穴選択画面をポップアップ表示させる構成にしており、請求項６では、竪穴感知器自動配置手段は、感知器の配置が完了した竪穴は、上記感知器設置竪穴選択画面の上記選択表示窓から消去する一方、感知器の配置が完了した後に、感知器の配置を消去した竪穴については、再び上記表示窓に表示させる構成にしており、更に、請求項７では、竪穴感知器自動配置手段は、上記感知器設置竪穴選択画面の選択実行ボタンがクリックされたときには、感知器の選択を要求する感知器選択画面が表示され、その画面の実行ボタンを更に、クリックしたときには、上記感知器設置竪穴選択画面に表示された竪穴の種別に応じて、法規上、設置の可能な感知器の種別を一覧表示させた選択可能感知器一覧画面を表示させる構成にしている。
【００１４】
また、請求項８では、防災設備法規遵守処理手段は、ディスプレイ上で表示された建物の平面図や建物竪穴感知器配置マップから感知器のシンボルが追加あるは消去された際に、上記法規に照らして適合の有無を判断し、不適合な配置になっている場合には、エラー表示を行う構成にしている。
【００１５】
一方、請求項９、１０では、感知器として、光電分離型感知器を選択する際に、その配置を支援するＣＡＤ装置が提案されている。
【００１６】
すなわち、請求項９では、請求項２〜８のいずれかにおいて、光電分離型感知器自動配置手段を更に備え、これによって、ディスプレイ上に表示された建物の平面図において、光電分離型感知器を配置する領域と、投光配置パターンとが指定されれば、上記法規に従って、光軸間隔を自動計算して建物の平面図上にその光軸を表示することによって光電分離型感知器の配置すべき個所を表示する構成にしており、更に請求項１０では、光電分離型感知器自動配置手段は、建物の平面上に光軸を表示する際に、光電分離方感知器のシンボルを対にして表示し、表示したシンボルのいずれか一方が送光部として指定されることによって、光電分離型感知器の配置を確定させる構成にしている。
【００１７】
また、請求項１１〜１３は、防災感知器と連動する防排煙機器、地区ベル、発信機を設計上配置した後において、法規上に適合しているかどうかのチェックを自動的かつ簡単にできるようにしたＣＡＤ装置が提案されている。
【００１８】
すなわち、請求項１１では、防災設備法規遵守処理手段は、連動感知器法規判別手段を更に備えており、これによって、上記法規情報に基づいて、上記建物の平面図上に配置された、防災感知器とその防災感知器に連動する防排煙機器との間隔が法規を満たしているか否かを自動的に判別し、チェックする構成にしており、請求項１２では、防災設備法規遵守処理手段は、地区ベル法規判別手段を更に備えており、これによって、上記法規情報に基づいて、上記建物の平面図上の地区ベルの配置位置が法規を満たしているか否かを自動的に判別し、チェックする構成にしており、請求項１３では、防災設備法規遵守処理手段は、発信機法規判別手段を更に備えており、これによって、上記法規情報に基づいて、上記建物の平面図上の発信機の配置位置が法規を満たしているか否かを自動的に判別し、チェックする構成にしている
【発明の実施の形態】
【００１９】
以下に、本発明の実施の形態について、図面とともに説明する。
【００２０】
図１は、本発明の防災設備ＣＡＤ装置の要部ハード構成の一例を示す図である。
【００２１】
この防災設備ＣＡＤ装置Ａは、防災設備設計支援装置１、ＣＲＴ等で構成されるディスプレイ２、キーボードや、マウスなどのポインティングデバイス等で構成される入力操作部３、ハードディスクなどで構成され、各種データベース４Ａ〜４Ｇ（いずれも後述）を備える外部記憶装置４を組み合わせることで構成されている。
【００２２】
防災設備設計支援装置１は、ＣＰＵなどで構成され、以下の各部を制御する主制御部１０、建物・竪穴情報設定手段を構成する建物・竪穴情報設定部１１、防災設備法規遵守処理手段を構成する防災設備法規遵守処理部１２と、建物竪穴マップ作成手段を構成する建物竪穴マップ作成部１３と、竪穴感知器設置階自動決定手段を構成する竪穴感知器設置階自動決定部１４、竪穴感知器自動決定手段を構成する竪穴感知器自動配置部１５、光電分離型感知器自動配置手段を構成する光電分離型感知器自動配置部１６とを備えている。
【００２３】
また、防災設備法規遵守処理部１２は、連動感知器法規判別手段を構成する連動感知器法規判定部１２Ａ、地区ベル法規判別手段を構成する地区ベル法規判別部１２Ｂ、発信機法規判別手段を構成する発信機法規判別部１２Ｃを更に備えており、ディスプレイ上で配置された連動感知器、地区ベル、発信機の建物内の配置位置が法規の基準に適合しているかどうかを自動的に判別しており、この判別動作については、後述する。
【００２４】
なお、主制御部１０以外の各部の機能については後述する。
【００２５】
このような防災設備ＣＡＤ装置Ａは、以下に示すような機能を実行することができ、順次説明する。
【００２６】
まず、建物・竪穴情報設定部１１は、ディスプレイ２上に、例えば、図２に示すような建物竪穴感知器設置マップ２０を作成し、表示させることができる。
【００２７】
ここに、このマップ２０は、棟情報設定ボタン２０Ｆを操作すると、選択棟表示ボックス２０Ｈにプルダウンメニュー表示されている棟（図では「１：ＴＯＷ−１」、ユーザーによる選択可能）に対して、建物情報２０Ａが表示され、階数、階高（各階あたりの高さ）、天井形状、有窓／無窓の入力設定が可能となり、これらの情報が設定されると、建物情報データベースに記憶される。
【００２８】
また、受信機設定ボタン２０Ｇを操作すると、予め防災機器データベースに登録されている火災受信機のうちから、選択棟表示ボックス２０Ｈに表示されている棟（図では「１：ＴＯＷ−１」）の何階から何階までを監視の対象とするかの入力設定が可能となり、かくして登録された情報は、建物情報２０Ａの内容として表示され、建物情報データベースに記憶される。
【００２９】
建物情報２０Ａに隣接して、エレベータ、階段、エスカレータ、ダクトなどの竪穴２０Ｂ〜２０Ｅが貫通階を示す分布情報とともにマップ表示されている。
【００３０】
ユーザーは、右側に設けられた竪穴追加ボタン群２０Ｌのうちから、追加すべき竪穴の種別に応じたボタンを選択すると、図３に示すような竪穴情報設定画面２１が表示される。
【００３１】
図３には、竪穴の種別としてエレベータを選択した場合の竪穴情報設定画面２１が表示されており、この竪穴情報設定画面２１には、竪穴種別に応じた竪穴名称２１Ａ、竪穴の貫通階を指定する階指定２１Ｂ、エレベータ機械室の設置階を指定する機械室設置階２１Ｃが入力できるようになっている。
【００３２】
ユーザは、この竪穴情報設定画面２１に必要な情報を入力あるいは選択してから、登録ボタン２１Ｄを操作すれば、これらの情報が竪穴情報データベース４Ｂに追加登録されるとともに、前述した建物竪穴感知器設置マップ２０には新たな竪穴分布情報が表示される。
【００３３】
竪穴感知器設置階自動決定手段１４は、このようにして追加された竪穴に対して、法規情報データベース４Ａに記憶されている基準に照らして、防災感知器を設置すべき階を自動的に決定しており、図４のステップ１００〜１０６は、このときの判断の基本手順をフローチャートでもって示す。
【００３４】
その概略手順を説明すると、ユーザが前述した竪穴情報設定画面２１を開いて、追加すべき竪穴に関する情報を入力して、登録ボタン２１Ｄを操作すると、竪穴感知器設置階自動決定部１４は、法規情報データベース４Ａより法規情報を読み込み、追加された竪穴の種類に応じて設置すべき建物階を決定する。
【００３５】
すなわち、竪穴の種類が、階段やエスカレータ、エレベータでなければ、防災感知器を設置すべき階を最上階とし、階段やエスカレータを設置するための竪穴であれば、地上を基準として１５ｍ（防災感知器が３種であれば１０ｍ）毎に感知器を設置すべき階を決定する。また、竪穴がエレベータである場合には、更に機械室の設置されている階を判別し、その階が最下階である場合には、感知器を設定すべき階を最上階とするが、その階が最上部である場合には、最上部を設置階とし、更に感知器の設置すべき個数を、その面積に応じて決定する（以上、ステップ１０４〜１０６参照）。
【００３６】
竪穴感知器設置階自動決定手段１４は、このようにして決定した防災感知器を設置すべき建物階を、感知器設置階データとして、建物情報・竪穴情報設定手段１１に手渡し、建物情報・竪穴情報設定手段１１は、このデータに基づいて、前述した建物竪穴感知器設置マップ２０に表示された竪穴の該当階に、感知器のシンボルを表示する（図２ではＳＢとして示している）ことによって、法規に適合させて設置すべき階を明示させ、そのデータを竪穴情報データベース４Ｂに記憶させる。
【００３７】
なお、図２において、竪穴情報２Ｂ〜２Ｅの内容として表記されている「１」や「２」といった数字は警戒区域番号を示し、２ＯＩ、２０Ｊはそれぞれ、感知器追加ボタン、感知器削除ボタンを示しており、竪穴に設置すべき防災感知器の設置階を随時、追加、削除できるようになっている。
また、終了ボタン２０Ｋを操作して、このマップ画面２０における設定作業を終了させると、防災設備法規遵守処理手段１２が、建物階に対して感知器シンボルを追加、あるいは削除した行為が法規上適合するか否かを判定し、適合していないときにはエラー報知を行うようになっている。
【００３８】
また、図３において、２１Ｅは終了ボタンを示しており、このボタンを操作すれば、感知器を設置すべき竪穴の選択作業が終了する。
【００３９】
このようにして、竪穴情報設定画面２１を通じて建物情報や竪穴情報を入力設定して登録すれば、追加登録された竪穴は、建物竪穴感知器設置マップ２０に分布情報として表示されるとともに、竪穴感知器自動配置部１５は、ディスプレイ２上の平面図に描画された竪穴に感知器のシンボルを配置する際に、法規情報データベース４Ａに照らして、その種別や、個数を自動で決定されるようになっており、以下、この場合の動作について説明する。
【００４０】
すなわち、竪穴感知器自動配置手段１５は、ディスプレイ２上に建物の平面図を表示して竪穴に感知器のシンボルＳＢを配置して行く際に、竪穴情報データベース４Ｂより、登録された竪穴情報を取得すると、取得した竪穴情報に基づいて、例えば、図６に示すような感知器設置竪穴選択画面２２を、ディスプレイ２上にポップアップさせてガイド表示する。
【００４１】
この竪穴選択画面２２には、竪穴情報データベース４Ｂに登録された竪穴情報２２Ａが、竪穴名称と設置階とを１組にしてプルダウンメニュー形式などにより列挙されており、この中から感知器を設置すべき竪穴を指定して、実行ボタン、つまりＯＫボタン２２Ｂを操作すれば、竪穴感知器自動配置手段１５は、法規情報データベース４Ａを参照して、防災機器マスタデータベース４Ｃより、法規に適合した防災感知器のシンボルを決定して、例えば、図７に示すような感知器選択画面２３を、ディスプレイ２上に表示させて、感知器の選択を促す。
【００４２】
図７に示す感知器選択画面２３は、感知器設置竪穴選択画面２２によって選択された竪穴に配置すべき感知器が、竪穴の面積を考慮することなく、決定される場合、例えば、階段やエスカレータである場合に表示される態様を示している。
【００４３】
すなわち、図７の例では、防災感知器シンボル２３Ａが、その名称や備考情報とともに表示されており、シンボル２３Ａをクリックすると、例えば、図８に示したような、法的に適合した種々の感知器のシンボル２４Ａを列挙した選択可能感知器一覧画面２４が表示され、この画面２４に一覧表示された感知器のいずれかのシンボル２４Ａを選択すると、感知器選択画面２３のシンボル２３Ａは選択されたシンボルに切り替わり、更に、感知器選択画面２３の実行ボタン、つまりＯＫボタン２３Ｂを操作すれば、竪穴に配置すべき防災感知器の種別が確定される。なお、図６〜図８において、２２Ｃ、２３Ｃ、２４Ｄはそれぞれキャンセルボタンを示しており、これらのボタンを操作すれば、それぞれの画面２２，２３，２４における作業がキャンセルされる。
【００４４】
また、図６に示す感知器設置竪穴選択画面２２によって選択した竪穴の種別が、竪穴の面積を考慮して、設置すべき感知器の個数を決定すべき場合、例えば、エレベータの通路で、かつ機械室設置階が最上階に設定されているときには、竪穴感知器自動配置手段１５は、図９に示したように、ユーザが平面図上で感知器を設置すべき竪穴をポインティングデバイスなどによって指定する（その領域を斜線で示す）と、その竪穴の面積が自動算出された後に、法規情報データベース４Ｄより法規情報を読み込み、読み込んだ法規情報に基づいて、感知器の配置必要個数を決定し、例えば、図１０に示すような感知器配置画面２５を、ディスプレイ２上に表示させ、ユーザに対して、設置の可能な感知器の選択と、感知器の配置方式を要求する。
【００４５】
図１０では、感知器配置画面２５には、指定された領域に対して算出された面積２５Ａ、感知器の個数２５Ｂ、感知器の種別２５Ｃが表示されており、自動ボタン２５Ｄを操作すると、竪穴感知器自動配置手段１５は、更に、図１１に示すようなシンボル配置指定画面２６を表示して、選択した感知器の配置方式を要求する。図１１では、シンボル配置指定画面２６には、矩形詳細２６Ａ、均等配置方式２６Ｂ、配置パターン２６Ｃが表示されており、矩形詳細表示域２６Ａには、感知器配置画面２５に表示されている面積２５Ａと、設置すべき感知器の必要個数２５Ｂがそのまま表示される。なお、「矩形」としているのは、自動配置のために防災感知器の必要個数を自動的に算出するのを、防災感知器の設置範囲を矩形指示したときに限っているからに過ぎない。また、均等配置方式２６Ｂ、配置パターン２６Ｃは、ユーザ側で任意指定も出来、これらを任意に指定し、ＯＫボタン２６Ｄを操作すれば、竪穴感知器自動配置手段１５は、指定された方式２６Ｂ、パターン２６Ｃに基づいて、選択された感知器のシンボルを、平面図の指定領域内に均等配置させる。
【００４６】
すなわち、感知器配置画面２５によって、算出された竪穴の面積と、設置すべき感知器の個数が教示されたユーザは、更にシンボル配置指定画面２６によって感知器の配置方式２６Ｂと配置パターン２６Ｃを選択すれば、その竪穴には、必要な種類の感知器が、必要な数だけ選択されて、指定した配置方式で法規的に適合された条件で自動配置されることになる。
【００４７】
なお、図１０中、２５Ｅは任意ボタンを示しており、これを操作すると、指定されたシンボルの配置位置を任意指定可能とする。また、２５Ｆはキャンセルボタンを示しており、これを操作すると、この画面２５における作業がキャンセルされる。
【００４８】
一方、指定された竪穴の種類が、前述したようないずれの竪穴でもないときには、竪穴感知器自動配置手段１５は、ユーザーによる平面図における配置位置指定操作に対して待機し、ユーザがポインティングデバイスにより領域を指定すれば、そこに感知器のシンボルを自動配置できるようになっている。
【００４９】
したがって、以上のいずれかの方法で、平面図上の竪穴に、防災感知器シンボルの配置が終了すれば、竪穴感知器自動配置手段１５は、配置された防災感知器に関する感知器情報を作成し、防災機器データベース４Ｅに記憶させて、その竪穴情報を感知器配置済にする。
【００５０】
ここで、図５のステップ２１３における動作について詳しく説明すれば、竪穴感知器自動配置手段１５は、登録された竪穴に対して竪穴情報データベース４Ｂに記憶されている竪穴情報（図１２参照）のうち、感知器シンボルを配置した竪穴に対応して、その感知器シンボル毎にコードやフラグなどを割り付けて記憶させるようになっており、これらのコードやフラグが記憶されていない竪穴については、ステップ２００の動作において、感知器が未配置であると判断するようになっている。
【００５１】
なお、前述した実施例では、図６に示した竪穴名称指示画面２２は、登録された竪穴情報２２Ａのすべてをプルダウンメニュー形式などにより列挙して表示するようにしているが、竪穴感知器自動配置手段１５は、
登録された竪穴情報のうちから、感知器の配置が終了したものを消去する一方、感知器の配置が完了したものでも、平面図や図２に示した建物竪穴感知器配置マップなどから感知器のシンボルを削除したものは、再度プルダウンメニューに加えて表示できるようにすれば、感知器の配置作業を漏れなく行え、便利である。
【００５２】
次いで、本発明の防災設備ＣＡＤ装置Ａでは、ディスプレイ２上に表示した平面図への光電分離型感知器シンボルの配置を自動的かつ簡単に行うために、光電分離型感知器自動配置手段１６を備えており、以下、これについて説明する。
【００５３】
図１３のステップ３００〜３１０は、ディスプレイ２上に表示された建物の平面図上に、光電分離型感知器のシンボルを配置して、防災設計図を作成する際の基本動作手順を示すフローチャートである。
【００５４】
平面図上で、シンボルを配置すべき領域を、ポインティングデバイスなどで指定すれば、光電分離型感知器自動配置手段１６は、防災機器データベース４Ｃより、予め登録されている火災受信機に対して配置可能な光電分離型感知器のシンボルを取得し、ディスプレイ２上に、例えば、図１４に示すような光電分離型感知器一覧画面２７を表示させる。
【００５５】
例えば、図１４に示した光電分離型感知器一覧画面２７には、配置可能な光電分離型感知器のシンボル２７Ａが、それらの投光配置パターンとともに一覧表示されており、ユーザがその中から所望のシンボルを選択すれば、例えば、図１５に示すような光軸間隔入力画面２８が表示され、採用すべき光軸間隔の入力を要求する。この光軸間隔は、ディスプレイ２上に表示された平面図の一室をユーザが指定した場合には、法規情報データベース４Ａの法規情報に基づいて、自動計算された値がデフォルト値として表示窓２８Ａに表示されるので、ユーザがその値を採用する場合には、ＯＫボタン２８Ｂを操作すればよく、ユーザがデフォルト値以外の値を選択するときには、その値を入力すればよい。また、２７Ｂ、２７Ｃは、一覧画面２７の別ページを開くための前頁ボタン、次頁ボタン、２７Ｄ、２８Ｃはいずれもキャンセルボタンを示している。
【００５６】
以上の手順によって、光電分離型感知器を配置する領域が指定され、光軸の向き、つまり投光向きと、更に光軸間隔が特定されると、光電分離型感知器配置手段１６は、図１７に示したように、光電分離型感知器を構成する送光部、受光部のシンボルＳ′（Ａ）、Ｓ′を指定された領域に表示して、自動配置する。
【００５７】
また、以上の例では、光電分離型感知器一覧画面には、選択の可能な光電分離型感知器のシンボルとして、感知器の種別だけでなく、光軸の向きも表示している例を示したが、光軸の向きは規定せずに、種別のみを表示して、感知器の種別を選択したときに、平面図に光軸とともに表示される一対のシンボルの一方を送光部として指定して、光軸の向きを特定するようにしてもよい。
【００５８】
図１６の例では、平面図のうち、指定された領域には、光軸の向きは定めないままで、計算された間隔で２本の光軸Ｓｏと、光電分離型感知器の一対のシンボルＳ、Ｓ′が表示されており、この段階では、一対のシンボルのうちどちらが送光部、受光部とは定まっていないので、ユーザは、表示された平面図上で、いずれか一方のシンボルをクリックするなどして送光部として指定すれば、指定されたシンボルは送光部として自動配置され、かくして配置が確定した光電分離型感知器には、感知範囲が表示される。
【００５９】
したがって、ユーザがその位置を確認して、確定させれば、図１７に示したように、指定した領域には、光電分離型感知器の送光部、受光部のシンボルＳ′（Ａ）、Ｓ′がその光軸方向とともに表示される。
なお、図１６では、事務室には２組の光電分離型感知器が光軸間隔Ｔをもって配置され、説明の便宜上、それぞれの組みによる検知範囲が点線括弧で示されているが、斜線や色を区別して識別表示されてもよい。
また、図１８では、光電分離型感知器の送光部は、Ｓ′（Ａ）として便宜上示されている。
【００６０】
光電分離型感知器自動配置手段１６は、かくして、確定した光電分離型感知器に関する感知器情報を作成し、防災機器データベース４Ｅに記憶させる。
【００６１】
次に、本発明の防災設備ＣＡＤ装置Ａは、平面図上に配置された防災感知器シンボルと、それに連動する防排煙機器シンボルとの位置関係が、法規を満たしているかを自動的かつ簡単にチェックできるようにもなっており、これについて、以下に説明する。
【００６２】
図１７のステップ４００〜４０８は、その動作について説明するためのフローチャートを示しており、連動感知器法規判別部１２Ａは、すでに作成された平面図から、防排煙端末機器シンボルを検索して、そのシンボル毎に、以下の処理を実行する。
【００６３】
すなわち、連動感知器法規判別手段１２Ａは、検索した防排煙端末機器のシンボルについて、その中心から半径１０Ｍの円を想定し、その半径内に防排煙連動感知器のシンボルがあるかどうかを判別し、その半径円内に防排煙連動感知器のシンボルがあればＯＫと判断し、その円内から外れて防排煙連動感知器のシンボルがあれば、エラー情報を出力し、その円の中心となっている防排煙端末機器のシンボルの色を変更するなどして図２０図に示したようなエラー報知を行っている。
【００６４】
なお、図１９、図２０は、このような処理を例示的に説明する図であり、図１９では、防排煙端末機器のシンボルＤを中心とした規定の半径円内には、防排煙連動感知器のシンボルＳがあるので、それらの位置関係が法規を満たしていると判断するが、防排煙機器シンボルＤ，ＳＳを中心とした円内には、防排煙連動感知器のシンボルＳが見付からないので、それらの位置関係が法規を満たしていないと判断し、図２０に示したようなエラー表示画面を表示させて、報知しており、ここでは、連動用感知器が配置されていない防排煙機器として、防火戸と防火シャッタがそれぞれ１個ずつ存在することを示している。
【００６５】
また、本発明の防災設備ＣＡＤ装置Ａでは、平面図に配置された地区ベルなどの警報装置の配置位置が、法規を満たしているかを自動的かつ簡単にチェックできる。
【００６６】
図２１のステップ５００〜５０６は、その動作について説明するためのフローチャートを示しており、地区ベル法規判別手段１２Ｂは、防災機器データベース４Ｅより、ベル内蔵機器シンボルを取得し、取得したシンボル毎に、以下の処理を実行する。
【００６７】
すなわち、地区ベル法規判別手段１２Ｂは、取得した地区ベル内蔵機器シンボル毎に、法規情報データベース４Ａの法規情報を基にして、そのシンボルを中心とした半径２５Ｍの円を想定し、部屋領域情報データベース４Ｆに部屋情報が記憶されているかを判別し、部屋情報が記憶されていればそれを取得して、全部屋領域がいずれかの円内に含まれているかを判別する。含まれていればこの処理を終了する一方、含まれていなければエラー報知する。ステップ５０３において、部屋領域情報が記憶されていなければ、その時点で処理を終了するようになっているが、平面図上に円は表示されているので、ユーザーは、目視によって、全部屋領域がそれぞれの円内に含まれているかを確認する。
【００６８】
なお、図２２は、このような処理を例示的に説明するために示す図であり、図２２（ａ）では、地区ベル内蔵機器シンボルＢのそれぞれを中心とした円内に、全部屋領域が含まれるので、それらの配置位置が法規を満たしていると判断する。図２２（ｂ）では、斜線で示す領域が、地区ベル内蔵機器シンボルＢのそれぞれを中心とした円内に含まれていないので、それらの配置位置が法規を満たしていないと判断している。
【００６９】
更に、本発明の防災設備ＣＡＤ装置Ａは、平面図上に配置された発信機シンボルの配置位置が、法規を満たしているかを自動的かつ簡単にチェックできるようにもなっており、これについて、以下に説明する。
【００７０】
図２３のステップ６００〜６０３は、その動作について説明するためのフローチャートを示しており、発信機法規判別手段１２Ｃは、建物情報データベース４Ｇより、建物の階情報、床面積情報を取得し、取得したこれらの情報と、法規情報データベース４Ａの法規情報とに基づいて、発信機シンボルの設置が必要な階と、その個数とを決定する。
【００７１】
そして、発信機法規判別手段１２Ｃは、防災機器データベース４Ｅより、その階に配置済みの発信機内蔵機器シンボルを取得し、取得したシンボルが必要個数配置されているかを判別し、必要個数配置されていればこの処理を終了する一方、必要個数配置されていなければエラー報知する。
【００７２】
なお、図２４は、発信機シンボルが必要個数配置されていないときにエラー報知するためのエラー報知画面を示しており、ここでは、発信機シンボルが、２階に２個、３階に１個配置されていないことを示している。
【発明の効果】
【００７３】
本発明の防災設備ＣＡＤ装置によれば、以下のような利点がある。
【００７４】
請求項１、２に記載のＣＡＤ装置によれば、建物に階段、エレベータ通路などの竪穴がある場合に、竪穴の種類と、貫通情報、エレベータの設置階などを登録すれば、登録した竪穴は、建物階とともに、竪穴分布情報として、マップとして表示され、しかも法規上、感知器を設置すべき建物階が明示されるので、竪穴に感知器を配置する際に、法規に従って、漏れなく配置できるため、防災設計の作成上極めて有益である。
【００７５】
また、請求項３、４では、竪穴の種別、竪穴の面積などが指定されたときに、選択可能感知器一覧画面が表示され、法規に適合した感知器を選択することができ、また感知器を設置すべき竪穴を指定すれば、その面積が自動計算されて、法規に適合した感知器の個数が計算されるので、防災設計図を作成する際に極めて便利である。
【００７６】
請求項５では、感知器設置竪穴選択画面には、法規上、設置の必要な竪穴と設置階のみが表示されるので、防災設計者が感知器の竪穴への配置をし忘れてしまうようなことが未然に防止される。
【００７７】
また、請求項６では、感知器設置竪穴選択画面には、感知器が未配置の竪穴と設置階のみが表示されるので、防災設計者が竪穴の感知器を重複して配置したり、配置をし忘れるようなことが未然に防止される。
【００７８】
請求項７、８によれば、それぞれ、法規上、設置可能な感知器の種別が一覧表示されたるので、その選択、配置作業が容易になる。また、設置されるべき感知器の個数が表示され、教示されるので、便利である。
【００７９】
請求項９によれば、光電分離型感知器を建物の平面図に配置する際に、簡易な方法で法規に適合した条件で感知器の配置が行える。
【００８０】
請求項１０〜１２によれば、防災設計図に配置している防排煙機器、地区ベル、発信機などが法規に適合しているかどうかのチェックを簡易に行うことができ、熟練を有しない者でも容易に防災設計図を作成することが出来る。
【図面の簡単な説明】
【図１】本発明の防災設備ＣＡＤ装置の要部ハード構成の一例を示す図である。
【図２】建物竪穴感知器設置マップの一例を示す図である。
【図３】竪穴情報設定画面の一例を示す図である。
【図４】竪穴感知器設置階自動決定手段における基本動作手順を説明するフローチャートである。
【図５】竪穴感知器自動配置手段における基本動作手順を説明するフローチャートである。
【図６】感知器設置竪穴選択画面の一例を示す図である。
【図７】感知器選択画面の一例を示す図である。
【図８】選択可能感知器一覧画面の一例を示す図である。
【図９】平面図上で竪穴を指定する要領を示す図である。
【図１０】感知器配置画面の一例を示す図である。
【図１１】感知器シンボル配置指定画面の一例を示す図である。
【図１２】竪穴情報データベースに登録されている竪穴情報のエリアマップを示す図である。
【図１３】光電分離型感知器自動配置手段の基本動作手順を説明するフローチャートである。
【図１４】光電分離型感知器一覧画面の一例を示す図である。
【図１５】光軸間隔入力画面の一例を示す図である。
【図１６】指定領域への光電分離型感知器シンボルの配置要領についての説明図である（配置途中）。
【図１７】指定領域への光電分離型感知器シンボルの配置態様についての説明図である（配置後）。
【図１８】連動用感知器法規判別手段の基本動作手順を説明するフローチャートである。
【図１９】連動用感知器法規判別手段の判別原理説明図である。
【図２０】連動用感知器法規判別手段によるエラー報知画面の一例を示す図である。
【図２１】地区ベル法規判別手段の基本動作手順を説明するフローチャートである。
【図２２】地区ベル法規判別手段の判別原理説明図である。
【図２３】発信機法規判別手段の基本動作手順を説明するフローチャートである。
【図２４】発信機法規判別手段によるエラー報知画面の一例を示す図である。
【符号の説明】
Ａ・・・防災設備ＣＡＤ装置
２・・・ディスプレイ
４・・・外部記憶装置
１１・・・建物情報・竪穴情報設定部
１２・・・防災設備法規遵守処理部
１２Ａ・・・連動感知器法規判別手段
１２Ｂ・・・地区ベル法規判別手段
１２Ｃ・・・発信機法規判別手段
１３・・・建物竪穴マップ作成手段
１４・・・竪穴感知器設置階自動決定手段
１５・・・竪穴感知器自動配置手段
１６・・・光電分離型感知器自動配置手段
２０  ・・・建物竪穴感知器設置マップ
２２  ・・・感知器設置竪穴選択画面
２３  ・・・感知器選択画面
２４  ・・・選択可能感知器一覧画面
２５  ・・・感知器配置画面
２６  ・・・シンボル配置指定画面
【図１】
0003569803.tif 000002
【図２】
0003569803.tif 000003
【図３】
0003569803.tif 000004
【図４】
0003569803.tif 000005
【図５】
0003569803.tif 000006
【図６】
0003569803.tif 000007
【図７】
0003569803.tif 000008
【図８】
0003569803.tif 000009
【図９】
0003569803.tif 000010
【図１０】
0003569803.tif 000011
【図１１】
0003569803.tif 000012
【図１２】
0003569803.tif 000013
【図１３】
0003569803.tif 000014
【図１４】
0003569803.tif 000015
【図１５】
0003569803.tif 000016
【図１６】
0003569803.tif 000017
【図１７】
0003569803.tif 000018
【図１８】
0003569803.tif 000019
【図１９】
0003569803.tif 000020
【図２０】
0003569803.tif 000021
【図２１】
0003569803.tif 000022
【図２２】
0003569803.tif 000023
【図２３】
0003569803.tif 000024
【図２４】
0003569803.tif 000025